(57)【要約】データ記憶装置、表示器（１２）、及び少なくとも１つの選択装置（１８）を含む情報を提供するための会話型表示システム（１０）であって、表示器（１２）が、データ記憶装置から要約情報を順次表示し、少なくとも１つの選択装置（１８）が、表示器（１２）上に、選択した要約情報に関連する他の情報を表示させることができ、他の情報は、データ記憶装置から入手される。
2004515797.tif 000002
【特許請求の範囲】
【請求項１】
データ記憶装置、表示器及び少なくとも１つの選択装置を含む、情報を提供するための会話型表示システムであって、
前記表示器が、前記データ記憶装置から要約情報を順次表示すると共に、前記少なくとも１つの選択装置の選択によって前記表示器上に表示された要約情報に関連する他の情報を表示させることができ、前記他の情報が、前記データ記憶装置から入手される会話型システム。
【請求項２】
前記システムが移動することができる、請求項１に記載の会話型システム。
【請求項３】
前記データ記憶装置がコンピュータ・ハードドライブである、請求項１又は２に記載の会話型システム。
【請求項４】
前記要約情報及び他の情報が広告資料である、請求項１乃至３の何れか一項に記載の会話型システム。
【請求項５】
前記要約情報及び他の情報がマルチメディアである、請求項１乃至４の何れか一項に記載の会話型システム。
【請求項６】
前記要約情報が静止画像のスクリーンショウとして表示される、請求項１乃至５の何れか一項に記載の会話型システム。
【請求項７】
前記システムがプリンタを含む、請求項１乃至６の何れか一項に記載の会話型システム。
【請求項８】
前記プリンタが、選択した要約情報に関連する他の情報を印刷する、請求項７に記載の会話型システム。
【請求項９】
前記他の情報がビデオとして表示される、請求項１乃至８の何れか一項に記載の会話型システム。
【請求項１０】
前記システムが、要約情報及び他の情報の言語を選択するための選択装置を含む、請求項１乃至９の何れか一項に記載の会話型システム。
【請求項１１】
前記システムが、必要な要約情報を選択的に表示するための選択装置を含む、請求項１乃至１０の何れか一項に記載の会話型システム。
【請求項１２】
前記システムが、前記要約情報及び他の情報に関連する統計を捕捉する、請求項１乃至１１の何れか一項に記載の会話型システム。
【請求項１３】
前記システムが車両内に設置される、請求項１乃至１２の何れか一項に記載の会話型システム。
【請求項１４】
前記車両がタクシーである、請求項１３に記載の会話型システム。
【請求項１５】
前記マルチメディアが、テキスト、グラフィックス、ビデオ、アニメーション、音響又はこれらの組合わせから選択される、請求項５に記載の会話型システム。
【請求項１６】
データ記憶装置、表示器及び少なくとも１つの選択装置を含む、情報を提供するための会話型表示システムであって、表示器が、前記データ記憶装置から要約情報を順次連続的に表示し、前記少なくとも１つの選択装置が、連続表示を中断して、表示器上に選択した要約情報に関する他の情報を表示させることができる会話型表示システム。
【請求項１７】
前記他の情報が表示された後で、前記表示器が、前記要約情報の連続表示に戻る、請求項１６に記載の会話型表示システム。
【請求項１８】
会話型表示システムで情報を提供するための方法であって、該方法が、
視聴者に要約情報のシーケンスを表示するステップと、
少なくとも１つの選択装置を提供し、それにより、前記視聴者が、要約情報と、選択した要約情報に関連する他の情報を選択するステップとを含み、前記要約情報及び他の情報が前記会話型システムに記憶される方法。
【請求項１９】
請求項１乃至１７の何れか一項に記載の会話型表示システムで情報を提供するための方法。
【請求項２０】
データ記憶装置、表示器及び少なくとも１つの選択装置を含む、車両内に設置される会話型表示システムであって、前記表示器が、前記データ記憶装置から要約マルチメディア情報を順次表示し、前記少なくとも１つの選択装置が、表示器上に選択した要約情報に関連する他のマルチメディア情報を表示させることができ、前記他の情報が前記データ記憶装置から入手することができる会話型表示システム。
【請求項２１】
前記プリンタが、他の広告情報を印刷するためのプリンタを含む、請求項２０に記載の会話型広告システム。
【請求項２２】
前記他の広告情報がビデオとして表示される、請求項２０又は２１に記載の会話型広告システム。
【請求項２３】
データ記憶装置、表示器、プリンタ及び少なくとも１つの選択装置を含む、情報を提供するための会話型表示システムであって、前記表示器が、前記データ記憶装置から要約情報を順次表示し、前記少なくとも１つの選択装置が、プリンタに選択した要約情報に関連する他の情報を印刷させることができ、前記他の情報が前記データ記憶装置から入手される会話型表示システム。
【発明の詳細な説明】
【０００１】
［発明の分野］
本発明は、広告資料のような情報の提供に関し、特に、広告システムを含む情報を提供するためのシステム、及び情報を提供するための方法、及び広告の方法に関する。
【０００２】
［背景］
広告掲示板からバス停留所にいたるまで、広告のような情報を提供するために種々の媒体が使用されてきた。多数の広告の中をスクロールするデジタル広告掲示板も使用されてきた。これらの広告は、所定のシーケンスで、またこのシーケンスから選択もできないし、その進行を制御することもできない、視聴者側から何もできない方法で提示される。視聴者はこのような広告の提示に対して何もすることができないので、これらのタイプの広告は簡単に無視することができる。
【０００３】
ユーザが、インターネット又はオンライン・データベースからの情報のような他のサービスを受けようとしている間に、ユーザに対して無理矢理提供される多数のオンライン広告システムもある。例えば、ユーザが、ワークステーションを他の目的のために使用していない場合、又は利用者が、ある種のサービスがワークステーション、又は端末に提供されるのを待っている間に、ワークステーション上に広告を表示することができる。これらのシステムも、また、視聴者から独立していて、視聴者は、広告を受け身で見るだけで、視聴者はこれらのシステムに対して何もすることができない。
【０００４】
本発明者達は、視聴者が能動的に働きかけることができる表示器により情報を提供すれば、視聴者は提供される情報にもっと興味を持ち、そのため情報をもっと有効に提供することができることを発見した。本発明者達は、視聴者が表示される情報に能動的に働きかけることができ、表示された情報に関連する他の情報を入手することができるシステムを発明した。
【０００５】
［発明の簡単な説明］
ある態様においては、本発明は、データ記憶装置、表示器及び少なくとも１つの選択装置を含む、情報を提供するための会話型表示システムである。表示器は、データ記憶装置から要約情報を順次表示し、少なくとも１つの選択装置は、表示器上に、選択した要約情報に関する他の情報を表示させることができ、上記他の情報は上記データ記憶装置から入手される。
【０００６】
会話型システムは、容易に持ち運ぶことができ、好適な実施形態の場合には、移動することができるので、このシステムは、従来情報及び広告を提供するために使用されなかった環境で使用することができる。
【０００７】
表示器としては、陰極線管（ＣＲＴ）、液晶表示器（ＬＣＤ）、発光ダイオード又は任意の他の画像映写技術を使用するスクリーンのような任意の適当な表示器を使用することができる。
【０００８】
少なくとも１つの選択装置は、視聴者が、それについての他の情報を得るために、必要な要約情報を選択することができるようにするために、スイッチ、キー、ボタン、音響作動スイッチ、タッチ感知パッド、タッチ感知スクリーン等を含むことができる。他の情報は、表示器上で見ることも、印刷することも、またこの両方を行うこともできる。好適な実施形態の場合には、システムは、印刷した他の情報を提供するためのプリンタを含む。
【０００９】
要約情報及び他の情報のデータは、ハードドライブ、ＣＤ−ＲＯＭ、フロッピー・ディスク、他のディスク、テープ等のような任意の適当な記憶媒体上に記憶することができる。できれば、システムは、ハードウェア、及び表示器及び／又はプリンタへの要約情報及び他の情報のデータの流れを制御し、管理するために必要なソフトウェア及びデータを含むコンピュータ化されたハードディスク・ドライブを内蔵していることが好ましい。要約情報及び他の情報の内容は、変更、更新することができ、時々刻々変化する。例えば、データ記憶装置の内容は、ディスケット、ＣＤ、赤外線接続、イーサネット接続、汎用パケット無線サービス（ＧＰＲＳ）、無線ＬＡＮ、又は任意の他の無線システムのような任意の適当な手段により更新することができる。
【００１０】
システムは、必要な他の情報及び選択が関連する要約情報を入手するために、視聴者が行った選択の回数のような統計を捕捉することができる。このような統計により、要約情報を最適化して効率的にすることができる。要約情報が広告資料である場合には、システムから返送された統計情報は、システムを効率化するための貴重な手段である。捕捉した統計は、要約情報毎のヒット（任意の特定の要約情報に関して他の情報が要求される回数）、印刷文書の数、言語要求の数等を含むことができる。例えば、統計は、ハードディスク上に記憶しているソフトウェア・プログラムにより捕捉することができる。統計情報は、分析のために、記憶媒体への手動による移送、又は赤外線又は衛星による遠隔移送のような任意の便宜の手段により他のシステムにアップロードすることができる。
【００１１】
要約情報及び他の情報は、テキスト、グラフィックス、ビデオ、アニメーション、音響又はこれらの任意の組合わせのような任意のマルチメディアを含むことができる。他の情報は、さらに、印刷物を含むことができる。広告の場合には、要約情報は、ビジネス用の地理的画像、又は短いビデオ広告のような広告メッセージを含むことができ、他の情報は、地理的画像、要約情報に挿入されるビデオ又は音響、連絡方法の詳細、製品及び価格リスト、パンフレット、クーポン又は任意の他の販売促進用資料を含むことができる。明らかに、要約情報及び他の情報の主題は無限にあり、位置により異なる。さらに、要約情報及び他の情報のプログラムされた配置を入手することができ、それは情報プロバイダのニーズにより異なる。
【００１２】
できれば、表示器は、データ記憶装置から順次要約情報を表示することが好ましい。視聴者が要約情報に興味を持っている場合には、視聴者は、少なくとも１つの選択装置を押す。選択装置は、連続している表示を中断し、表示器上に選択した要約情報に関連する他の情報を表示することができる。他の情報が表示された後で、表示器は、要約情報の連続表示に戻る。
【００１３】
ある実施形態の場合には、要約情報は、ビジネスの地理的画像広告であり、他の情報は短い販売促進ビデオ及び／又は印刷ラベルを含む。ラベルは、広告したビジネス及び／又は販売促進申込みの接触詳細を含むことができる。例えば、システムは、静止画像広告のスクリーンショウを表示することができる。視聴者が、広告したビジネスについてもっと多くの情報を入手したい場合には、視聴者が「他の情報」ボタンを押すと、選択した広告のマルチメディア・ビデオが表示される。別な方法としては、視聴者が「他の情報」ボタンを押すと、ラベルを印刷することができる。さらに他の実施形態の場合には、視聴者が「他の情報」ボタンを押すと、マルチメディア・ビデオが表示されると同時に、ラベルを印刷することができる。
【００１４】
本発明の会話型表示システムは、ホテル、ショッピング・センター、モール、鉄道の駅、バス停、ビル、空港等のような任意の適当な環境で使用することができる。好適な実施形態の場合には、本発明の会話型表示システムを、バス、列車、フェリー及びタクシーのような輸送手段、特定の公共輸送用車両内で使用することができる。従来の公共輸送用車両は、車両の内外に設置したポスター及び看板のような静的な広告を使用する。一連の広告又は広告のシーケンスをスクロールする広告システムも輸送分野で使用されてきた。しかし、このような使用方法は、個々の視聴者と活発に会話できない点で受動的なものである。
【００１５】
それ故、好適な実施形態の場合には、本発明は、上記会話型表示システムを含む輸送手段内で使用するための広告表示システムを提供する。例えば、会話型表示システムは、タクシーのような車両内に設置することができる。
【００１６】
他の態様においては、本発明は、データ記憶装置、表示器及び少なくとも１つの選択装置を含む、情報を提供するための会話型表示システムである。表示器は、上記記憶装置から要約情報を順次連続的に表示し、上記少なくとも１つの選択装置は、連続表示を中断して、表示器上に、選択した要約情報に関する他の情報を表示させることができる。
【００１７】
他の情報が表示された後で、表示器は要約情報の連続表示に戻ることができる。
【００１８】
さらに他の態様においては、本発明は、会話型表示システムで情報を提供するための方法である。該方法は、
視聴者に要約情報のシーケンスを表示するステップと、
少なくとも１つの選択装置を提供し、それにより、視聴者が要約情報と、選択した要約情報に関連する他の情報を選択するステップとを含み、要約情報及び他の情報は、会話型システムに記憶される。
【００１９】
さらに他の態様においては、本発明は、データ記憶装置、表示器及び少なくとも１つの選択装置を含む、情報を提供するために車両内に設置した会話型表示システムである。表示器は、上記データ記憶装置から要約マルチメディア情報を順次表示し、上記少なくとも１つの選択装置は、表示器上に、選択した要約情報に関する他のマルチメディア情報を表示させることができ、上記他の情報は上記データ記憶装置から入手される。
【００２０】
さらに他の態様においては、本発明は、データ記憶装置、表示器、プリンタ及び少なくとも１つの選択装置を含む、情報を提供するための会話型表示システムである。表示器は、上記データ記憶装置から要約情報を順次表示し、上記少なくとも１つの選択装置は、プリンタに、選択した要約情報に関する他の情報を印刷させることができ、上記他の情報は上記データ記憶装置から入手される。
【００２１】
本発明をもっと容易に理解してもらい、実行してもらうために、本発明の好適な実施形態を示す添付の図面を参照する。
【００２２】
［好適な実施形態の詳細な説明］
図１−図９について説明すると、これらの図面は、タクシーのような車両１１内に設置されている会話型広告システム１０である。会話型広告システム１０は、表示スクリーン１２、プリンタ１３及び中央処理装置（ＣＰＵ）のような記憶媒体１４（図示せず）を含む。会話型広告システム１０のすべての構成要素は、内蔵タイプであることを理解されたい。例えば、表示スクリーン１２、プリンタ１３、及び記憶媒体１４は、同じハウジングに内蔵させることができる。
【００２３】
表示スクリーン１２は、車両１１の前部座席１５の注文設計のヘッドレスト１５内に設置される。できれば、表示スクリーン１２は、運転手のシート及び乗客のシートの両方に設置することが好ましい。１つ又はそれ以上の選択装置又はボタン１８は、表示スクリーン１２上に位置していて、視聴者は、会話型広告システム１０の種々の機能を選択することができる。ある実施形態の場合には、乗客用スクリーン及び運転手用スクリーン１２は、同じ画像を表示するが、一方のスクリーン１２だけにナビゲーション・ボタン１８を設置することができる。ナビゲーション・ボタン１８を持たないスクリーン１２は、単なるスレーブ・スクリーン１２とすることができる。
【００２４】
データ記憶装置及びデータ記憶装置からの情報の流れを制御し、システムを管理する関連ロジックを含むＣＰＵ１４は、乗客用シートの下に設置され、車両の電源に接続される。プリンタ１３は、好適には、感熱式プリンタであり、車両内の種々の位置に設置することができることが好ましい。図１の場合には、プリンタ１３は、車両１１の後部シート２０内の乗客が容易にアクセスできるように中央コンソール上に設置されている。表示スクリーン１２及びプリンタ１３は、シートの凹部を通る外装ケーブル１７によりＣＰＵ１４にリンクしている。
【００２５】
視聴者との相互作用がない場合には、広告メッセージのような要約情報のシーケンスは、スクリーン１２上に連続的に表示される。例えば、要約情報の広告をスクリーン上に表示することもできるし、画像を順次スクロールすることもできる。好適には、スクロール画像は、例えば、３秒間のような短時間表示される静止画像であることが好ましい。
【００２６】
ボタン１８を使用することにより、視聴者は、必要な要約情報、すなわち、視聴者が興味を持っている広告メッセージに関連する他の情報を入手するために、会話型広告システム１０と会話することができる。視聴者が特定の広告メッセージに興味を持った場合、視聴者は「追加情報」ボタン１８を押すことができ、そうすることにより、マルチメディア・ファイルのような他の情報が表示される。例えば、マルチメディア・ファイルは、選択したスクロール画像に関連する広告ビジネスに対するＴＶコマーシャルのような短いビデオであってもよい。マルチメディア・ファイルは、また、埋設ＭＰＥＧのような音響を含むこともできる。
【００２７】
視聴者は、また、図１０に示すような、関連スクロール画像に関連するラベルを印刷する「印刷」ボタン１８を押すこともできる。ラベル１９は、広告主への連絡方法の詳細及び／又は、ディナーに付く無料のワインのボトル、又は通常の価格からの１割引のような販売促進用の提供を含むことができる。好適な実施形態の場合には、「追加情報」ボタン１８により、マルチメディア・ビデオ・ファイルを表示すると同時に、ラベルが印刷される。
【００２８】
多重言語フォーマットを入手することができ、ユーザは必要な言語のボタン１８を押すことができる。このボタンを押すと、視聴者は、入手することができる多数の異なる言語を切り替えることができる。さらに、必要な要約情報を選択的に表示するためのボタンを設置することもできる。例えば、視聴者が、広告メッセージ内を前後にスクロールすることができるように、スキップ・ボタンを設置することもできる。視聴者が使用できるすべてのボタン１８を押さなかった場合には、要約情報スクリーン内の次の静止画像が表示される。
【００２９】
要約情報及び他の情報は、テキスト、グラフィックス、ビデオ、アニメーション、音響又はこれらの任意の組合わせのような任意のマルチメディア・フォーマットを含むことができる。会話型広告システム１０が提供する情報の量及びタイプは、潜在的には無限であり、周期的に更新及び変更することができる。ある実施形態の場合には、会話型広告システム１０は、数秒間で、最大３メートル離れたところに情報をダウンロードすることができる赤外線デバイスを含む。別な方法としては、ＣＰＵの広告データの内容を、イーサネット接続、ＧＰＲＳ無線ＬＡＮ、又は他の適当な無線技術により更新することができる。
【００３０】
会話型広告システム１０は、その広告の効果を測定するために、それに対して要約情報を広告主に提供することができる統計を捕捉することができる。例えば、統計は、システムが稼動する１日当りの時間数、ある言語が選択される回数、サイト印象、サイト・ヒットの全数に関する統計、各サイトから印刷したラベルの数を含むことができる。統計情報は、分析のために、赤外線デバイス又は他の類似の無線デバイスを通して統計情報を中央にアップロードすることができる。
【００３１】
広告主は、本発明の好適な実施形態により、実際に、下記の３つの広告の機会を持つ。
・スクロール画像用の広告スペース
・会話型マルチメディア内容用の広告スペース
・ラベル・プリンタ画像用の広告スペース
【００３２】
ある実施形態の場合には、第１のスペースは、スクロール画像である。この画像は、広告メッセージの順番で表示される。この画像は、ビットマップ、ＪＰＥＧ、Ｔｉｆｆ、ＧＩＦ等のような任意の適当なフォーマットであってもよい。メモリ容量が小さい場合には、圧縮ファイル・フォーマットを使用するのが好ましい。
【００３３】
第２のスペースは、「会話型レベル」スペースである。視聴者は、スクロール画像を見ている間に「追加情報」ボタン１８を押すことにより、このレベルにアクセスする。このスペースは、短いビデオのような広告主が見せたいマルチメディア内容を記憶するために使用される。
【００３４】
第３のスペースは、ラベル画像である。プリンタ１３は、乗客が「会話型レベル」から「印刷」ボタンを押した場合にラベルを印刷する。別な方法としては、「追加情報」ボタンを押すことにより、マルチメディア・ビデオの内容と同時に、ラベル画像を印刷することができる。できれば、画像は、広告主への連絡方法の詳細及び広告主が販売促進したい申込みを含むことが好ましい。第１のレベルと同様に、画像は、ビットマップ、ＪＰＥＧ、Ｔｉｆｆ、ＧＩＦ等のような任意の適当なファイル・フォーマットであってもよい。
【００３５】
好適な実施形態の場合には、会話型広告システム１０は、図１に示すように、タクシー１１内に位置する。乗客及び視聴者は、タクシー１１の後部シート２０からボタン１８を押すことによりシステム１０にアクセスすることができる。できれば、会話型広告システム１０は、車両がスタートした場合ブートアップし、車両がストップした場合に動作を停止し、車両が走行中に連続的に動作するように設計することが好ましい。そうすれば、車両の運転手が介入する必要がなくなる。
【００３６】
タクシー内で会話型広告システム１０を使用することにより、広告主は新しい環境内で乗客にビジネスの広告を行うことができる。このような環境においては、会話型広告システム１０は、乗客に相互作用を行うように促し、広告は貴重なマケッティング・フィードバック及び知識を入手する。
【００３７】
もちろん、上記説明は、本発明を説明するためのものであって、当業者であれば理解できると思うが、上記及び他の修正及び変更は、本明細書に記載する広義の範囲及び領域内に含まれるものとみなされる。
【図面の簡単な説明】
【図１】車両内に設置されている会話型広告システムである。
【図２】広告を表示している会話型広告システムの表示スクリーンの前面図である。
【図３】図２の表示スクリーンの側面図である。
【図４】図２の表示スクリーンのＡ−Ａ線に沿って切断した断面図である。
【図５】図２の表示スクリーンの底面図である。
【図６】図２の表示スクリーンの構成要素の斜視図である。
【図７】本発明の会話型広告システムのプリンタの斜視図である。
【図８】図６のプリンタの前面図である。
【図９】図６のプリンタのＡ−Ａ線に沿って切断した断面図である。
【図１０】本発明の会話型広告システムからの印刷物の一例である。
【図１】
2004515797.tif 000003
【図２】
2004515797.tif 000004
【図３】
2004515797.tif 000005
【図４】
2004515797.tif 000006
【図５】
2004515797.tif 000007
【図６】
2004515797.tif 000008
【図７】
2004515797.tif 000009
【図８】
2004515797.tif 000010
【図９】
2004515797.tif 000011
【図１０】
2004515797.tif 000012
【国際公開パンフレット】
2004515797.tif 000013
2004515797.tif 000014
2004515797.tif 000015
2004515797.tif 000016
2004515797.tif 000017
2004515797.tif 000018
2004515797.tif 000019
2004515797.tif 000020
2004515797.tif 000021
2004515797.tif 000022
2004515797.tif 000023
2004515797.tif 000024
2004515797.tif 000025
2004515797.tif 000026
2004515797.tif 000027
2004515797.tif 000028
2004515797.tif 000029
2004515797.tif 000030
2004515797.tif 000031
【国際調査報告】
2004515797.tif 000032
2004515797.tif 000033
2004515797.tif 000034